(57)【要約】【課題】保持器の両接合端部が異常離脱した場合、自動的に復位させることができるリニアガイドの同調保持器構造を提供する。【解決手段】本考案は、習知の保持器の両接合端部が異常離脱した場合、分離した端部がガイドまたはスライドブロックのレースウェイまたはエンドカバーの還流通路に対して接触し、磨耗するという問題を解決する。本考案は主に保持器の末端に差込口を備えたホルダーが設置され、もう一方の末端にテーパー状の差込部が形成され、当該保持器を使用する際、保持器を折り曲げ、差込部をホルダー中に差し込むことができる。保持器を使用する際にホルダーと差込部が異常離脱した場合、差込部の細くなった端部がスムーズに再度ホルダーに差し込まれ、保持器両端が再度１本に連結される。これにより、ガイドまたはスライドブロックのレースウェイまたはエンドカバーの還流通路が保持器の分離した端部によって磨耗するのを防止する。【選択図】図３Ａ
0003130016.tif 000002
【実用新案登録請求の範囲】
【請求項１】
保持器がいくつかの間隔に配列された間隔部を備え、各間隔部はそれぞれフランジを形成して各間隔部を1本に連結し、各間隔部の間はローリングエレメントを収めることができるようになっているリニアガイドの同調保持器構造であって、
保持器の一方の末端に差込口を備えたホルダーが形成され、他方の末端に末端方向へ向かってテーパー状になった差込部が形成されていることを特徴とするリニアガイドの同調保持器構造。
【請求項２】
差込部が円柱形になっており、ホルダー及び差込口がそれに相対して円形管になっている、請求項1に記載されたリニアガイドの同調保持器構造。
【請求項３】
当該差込部が矩形柱体になっており、ホルダー及び差込口がそれに相対して矩形管になっている、請求項1に記載されたリニアガイドの同調保持器構造。
【請求項４】
当該差込部が楕円形柱体になっており、ホルダー及び差込口がそれに相対して楕円形管になっている、請求項1に記載されたリニアガイドの同調保持器構造。
【考案の詳細な説明】
【技術分野】
【０００１】
本考案はリニアガイドの同調保持器構造の改良に係わるものであり、主な用途は保持器の両接合端部が異常離脱した場合、自動的に復位することである。本考案は保持器の末端に差込部を設置し、もう一方の末端にホルダーを設置し、当該差込部がテーパー状になっていることによって、異常離脱後の差込部及びホルダーが再度自動的に復位することができ、これによりガイドまたはスライドブロックのレースウェイまたはエンドカバーの還流通路が保持器の分離した端部により磨耗するのを防止する。
【背景技術】
【０００２】
図１A、図１B、図１Cを参照いただきたい。これらは端部付の保持器10である。当該保持器10はいくつかの間隔に配列された間隔部11の間にボールベアリング17を収め、各間隔部11間が両側に一体成型されたフランジ12によって１本に連結され、保持器10の末端の間隔部13が突起差込部14を形成し、もう一方の末端が1個の差込口16を供えたホルダー15を形成する。当該差込部14は差込口16中に差し込み可能であり、当該保持器10を使用する際、スライドブロック50のレースウェイ51、スライドブロック50とガイド60の間のレースウェイ61、両エンドカバー52、53の還流通路521、531間で、往復循環ローリングを行なう（図１Ａが示すとおり）。
【考案の開示】
【考案が解決しようとする課題】
【０００３】
当該ガイド60とスライドブロック50が往復変位運動する際、粉塵または異物が多すぎる場合、その変位がスムーズさを失い、保持器10に瞬間的に変形を生じさせ、その差込部14とホルダー16が異常離脱し、保持器10が反時計回り方向運動をしてエンドカバー53の還流通路531まで変位すると、そのホルダー15が遠心力方向に向かって傾き、還流通路531にぶつかり、また、還流通路531に対して接触し続ける（図１Ｂに示すとおり）、またはエンドカバー52まで変位する際に、還流通路521に対して接触する。当該差込部14も同様に各エンドカバー52、53の還流通路521、531に対して接触する、または保持器10が時計回り方向に運動して変位する際にも、同様の状態が生じる。
また、離脱後の差込部14及びホルダー15は、両者のサイズが大差なく設定されているため、差込部14がホルダー15の差込口16に対して自動的に正対し、自動的に再度差込口16中に差し込むことができず、差込部14がホルダー15のエッジに挟まる。このような状況によって保持器10の長さが増すこととなり、保持器10全体を窮屈な状態にし、各ボールベアリング17がお互いに押し合うため、各ボールベアリング17が受ける力が一様でなくなり、ガイド60とスライドブロック50の間でスムーズに往復運動変位ができなくなる。
【課題を解決するための手段】
【０００４】
上記周知の保持器の欠点に基づき、本考案者は関連製品を長年にわたり研究開発した経験をもとに、専心研究し、設計改良を続け、テストサンプルを製作して繰り返しテストを重ね、さらに改良を加えて、以下の考案目的を確実に達成することができる本考案を誕生させるに至った。
本考案の主要目的は、保持器の差込部をテーパー状にすることによって、異常離脱後の差込部及びホルダーが再度自動的に復位できるようにし、これによりガイドまたはスライドブロックのレースウェイまたはエンドカバーの還流通路が保持器の分離した端部によって磨耗するのを防止することである。
上記の目的を達成するため、本考案の改良は、次のような特徴を備えている。保持器の一端が差込口を備えたホルダーを形成しており、もう一端が末端に向かってテーパー状になった差込部を形成している。また、当該保持器を折り曲げ、差込部をホルダー中に差し込むことができる。
【考案を実施するための最良の形態】
【０００５】
本考案について、さらに理解いただくため、ここに比較的優れた実施例を挙げて、以下に詳細な説明を行う（ただし、本実施例は説明のために用いるものであり、本考案の今後の実施においては、これらに限られたものではなく、本考案の技術的特徴を以ってなした改良の実施は、すべて本考案の拘束を受ける）。
【０００６】
図２Aおよび図２Bを参照いただきたい。本実施例の保持器20はフレキシブルな素材によって作られ、折り曲げて変形させることができ、いくつかの間隔に配列された間隔部22を備え、各間隔部22の両側はそれぞれ一体になってフランジ21を形成しており、それぞれの間隔部22が1本に連結され、各間隔部22の間にはローリングエレメントを収められるようになっている。本実施例のローリングエレメントはボールベアリング25であり、その末端には差込口241を備えたホルダー24が形成され、もう一方の末端には突起した差込部23が形成され、当該差込部23は末端に向かってテーパー状になっている。本実施例の差込部23は円柱形となっており、そのホルダー24及び差込口241はこれに相対して円形管になっている。
【０００７】
さらに図４Aおよび図４Bを参照いただきたい。これらは本考案の第二の実施例である。保持器20の差込部27は矩形柱体になっており、そのホルダー26及び差込口261はこれに相対して矩形管になっている。
【０００８】
さらに図５Aおよび図５Bを参照いただきたい。これらは本考案の第三の実施例である。保持器20の差込部29が楕円形柱体になっており、そのホルダー28及び差込口281はこれに相対して楕円形管になっている。
【０００９】
さらに図３A、図３Bおよび図３Cを参照いただきたい。当該保持器20使用の際、スライドブロック50のレースウェイ51、スライドブロック50とガイド60の間のレースウェイ61、両エンドカバー52、53の還流通路521、531の間で往復循環ローリングすることができ、当該差込部23は完全に差込口241中に差し込まれる（図３Aに示すとおり）。当該ガイド60とスライドブロック50が往復変位運動する際、過度の振動があり、保持器20に瞬間的に変形が生じた場合、その差込部23とホルダー24が異常離脱する（図３Bに示すとおり）。振動後、当該差込部23の最末端がテーパー状になっていることから、その端面のサイズは差込口241の断面積よりかなり小さく、差込部23はきわめて容易に再度差込口241中に自動的に差し込まれ、保持器20の両末端を再度1本につなげる。本考案の上記構造設計により、保持器20は往復運動の過程において、両末端に離脱が生じる時間が極めて短くなり、差込部23またはホルダー24が両エンドカバー52、53の還流通路521、531に対して接触する状況は生じず、スライドブロック50及びガイド60はスムーズに往復運動変位を行なうことができ、またその使用寿命を延ばすことができる。
【００１０】
上記を総括すると、本考案は強い実用性及び新規性を有し、かつ本出願人が国内外の文献をあまねく調査した結果、同一または類似のものは全く見当たらず、本考案は確かに実用新案法上の関連考案の規定に合致するので、ここに法に基づき申請を提出するものである。
【図面の簡単な説明】
【００１１】
【図１Ａ】周知の同調保持器使用時の断面動作見取図である。
【図１Ｂ】周知の同調保持器使用時の断面動作見取図である。
【図２Ａ】本考案同調保持器の立体外観図である。
【図２Ｂ】図２Aを180°回転させた見取図である。
【図３Ａ】本考案同調保持器使用時の断面動作見取図である。
【図３Ｂ】本考案同調保持器使用時の断面動作見取図である。
【図３Ｃ】本考案同調保持器使用時の断面動作見取図である。
【図４Ａ】本考案同調保持器の第二の実施例の立体外観図である。
【図４Ｂ】図４Ａを180°回転させた見取図である。
【図５Ａ】本考案同調保持器の第三の実施例の立体外観図である。
【図５Ｂ】図５Ａを180°回転させた見取図である。
【符号の説明】
【００１２】
10  保持器
11  間隔部
12  フランジ
13  間隔部
14  差込部
15  ホルダー
16  差込口
17  ボールベアリング
20  保持器
21  間隔部
22  間隔部
23  差込部
24  ホルダー
241  差込口
25  ボールベアリング
26  ホルダー
261  差込口
27  差込部
28  ホルダー
281  差込口
29  差込部
50  スライドブロック
51  レースウェイ
52  エンドカバー
521  還流通路
53  エンドカバー
531  還流通路
60  ガイド
61  レースウェイ
【図１Ａ】
0003130016.tif 000003
【図１Ｂ】
0003130016.tif 000004
【図２Ａ】
0003130016.tif 000005
【図２Ｂ】
0003130016.tif 000006
【図３Ａ】
0003130016.tif 000007
【図３Ｂ】
0003130016.tif 000008
【図３Ｃ】
0003130016.tif 000009
【図４Ａ】
0003130016.tif 000010
【図４Ｂ】
0003130016.tif 000011
【図５Ａ】
0003130016.tif 000012
【図５Ｂ】
0003130016.tif 000013